(57)【特許請求の範囲】
【請求項１】
押し操作することによりオンオフするスイッチ部を前面に備えたリモコン本体と、このリモコン本体の前面に係合するカバーとを備え、このカバーの外縁部分に、押し操作することにより揺動する押しボタンを設け、カバーをリモコン本体に係合させた状態で押しボタンを押し操作すると、押しボタンの揺動により上記スイッチ部が押し操作されるリモコン装置において、上記押しボタンの揺動中心を、押しボタンの押し操作位置より中央側に設け、押しボタンの裏側に、補助部材を揺動自在に保持させ、押しボタンを押し操作すると、補助部材の揺動軸が押しボタンと共にリモコン本体側に移動する際に、補助部材の揺動軸より外側の部分をリモコン本体に係合させて支点部とし、補助部材の揺動軸より内側の部分を作用点部として、この作用点部で上記スイッチ部を押し操作するようにしたことを特徴とするリモコン装置。
【発明の詳細な説明】
【技術分野】
【０００１】
本発明は、リモコン本体の前面にカバーを係合させたリモコン装置であって、カバーに設けた押しボタンを押し操作することによって、リモコン本体の前面に設けたスイッチ部を押し操作するリモコン装置に関する。
【背景技術】
【０００２】
例えば浴室内に取り付けられるリモコン装置では、リモコン本体内に水などが浸入しないように、リモコン本体は水密に構成されている。そして、そのリモコン本体の前面には各種操作を行うためのスイッチ部が設けられおり、そのスイッチ部を押し操作することにより、リモコン本体内のスイッチをオンオフするように構成されている。
【０００３】
なお、リモコン装置が水密であるため、スイッチ部を自由にデザインすることが困難であるため、押しボタンを備えたカバーをリモコン本体の前面に係合させ、押しボタンを押し操作することによって、押しボタンの裏面でスイッチ部を押し操作するように構成されている（例えば、特許文献１参照）。
【０００４】
このような構成を採用するためには、押しボタンの裏側の位置にスイッチ部が設けられる必要がある。
【先行技術文献】
【特許文献】
【０００５】
【特許文献１】特開２００８−２８８０５３号公報（図１１）
【発明の概要】
【発明が解決しようとする課題】
【０００６】
上記従来のリモコン装置では、カバーの押しボタンをカバーの周縁より内側に入った位置に設けている。これに対して、デザイン上の要請から、押しボタンをカバーの周縁に、ピアノの鍵盤のような形式に設ける場合がある。このような場合には、必然的にリモコン本体のスイッチ部も周縁近傍に設けなければならないが、リモコン本体の周縁近傍には、リモコン本体を壁面に固定するための穴を設ける必要があり、その穴を設ける位置にはスイッチ部を設けることができない。このためカバーのデザインの自由度が極端に制約されてしまう。
【０００７】
そこで本発明は、上記の問題点に鑑み、押しボタンをカバーの周縁に設けても、スイッチ部を押し操作することのできるリモコン装置を提供することを課題とする。
【課題を解決するための手段】
【０００８】
上記課題を解決するために本発明によるリモコン装置は、押し操作することによりオンオフするスイッチ部を前面に備えたリモコン本体と、このリモコン本体の前面に係合するカバーとを備え、このカバーの外縁部分に、押し操作することにより揺動する押しボタンを設け、カバーをリモコン本体に係合させた状態で押しボタンを押し操作すると、押しボタンの揺動により上記スイッチ部が押し操作されるリモコン装置において、上記押しボタンの揺動中心を、押しボタンの押し操作位置より中央側に設け、押しボタンの裏側に、補助部材を揺動自在に保持させ、押しボタンを押し操作すると、補助部材の揺動軸が押しボタンと共にリモコン本体側に移動する際に、補助部材の揺動軸より外側の部分をリモコン本体に係合させて支点部とし、補助部材の揺動軸より内側の部分を作用点部として、この作用点部で上記スイッチ部を押し操作するようにしたことを特徴とする。
【０００９】
スイッチ部が押しボタンより内側に偏位している場合には、押しボタンで直接スイッチ部を押し操作することは困難である。そこで、押しボタンの裏側に補助部材を揺動自在に取り付けて、押しボタンを押すと、補助部材の揺動軸より内側の部分が押し方向に移動するように構成して、その内側に位置する部分でスイッチ部を押し操作するようにした。
【発明の効果】
【００１０】
以上の説明から明らかなように、本発明は、押しボタンをカバーの周縁部分に設けても、その押しボタンより内側に偏位した位置にあるスイッチ部を押し操作できるので、カバーのデザインの自由度を増すことができる。
【図面の簡単な説明】
【００１１】
【図１】本発明によるリモコン装置の外観を示す斜視図
【図２】リモコン本体からカバーを取り外した状態を示す図
【図３】カバーの押しボタン取付部の状態を示す斜視図
【図４】押しボタンの裏側を示す図
【図５】押しボタンから補助部材を取り外した状態を示す図
【図６】押しボタンを押した際の動作を説明するための断面図
【発明を実施するための形態】
【００１２】
図１を参照して、１は本発明によるリモコン装置で有り、本実施の形態では浴室の壁面に取り付けられる風呂リモコンである。
【００１３】
図２を参照して、このリモコン装置１は壁面に固定されるリモコン本体２と、このリモコン本体２の前面に着脱自在に取り付けられるカバー３とから構成されている。リモコン本体２は内部に水などが浸入しないように水密構造が採用されている。そして、前面には各種のスイッチ部２１，２２が設けられている。これらスイッチ部２１，２２はカバー３に設けた押しボタン３１、３２によって押し操作されるものであり、押しボタン３１，３２がカバー３の左右両縁部に設けられているため、各スイッチ部２１，２２もリモコン本体２の左右両縁部に設けることが望ましい。
【００１４】
ところが、リモコン本体２には左右両壁面があるため、スイッチ部２１は押しボタン３１で押し操作されるのに好適な位置よりも内側に偏位して設けられている。また、特にスイッチ部２２は、リモコン本体２を壁面に取り付けるための穴２３が設けられているため、スイッチ部２１よりも、さらに内側に偏位して設けられている。
【００１５】
図３を参照して、特に偏位しているスイッチ部２２を例にとり、さらに向かって右側に位置するスイッチ部２２を押し操作する機構について以下に説明する。押しボタン３２が取り付けられる位置には押しボタン３１が手前側に浮き上がることを防止する爪３４と、後述する補助部材が当接して補助部材の揺動時に支点となる当接部３３とが設けられている。
【００１６】
図４および図５を参照して、押しボタン３２の裏側には補助部材４が揺動自在に保持されている。なお、以下に押しボタン３２について説明をするが、補助部材４と同様の作用をする補助部材３１ａが他の押しボタン３１の裏側にも取り付けられている。
【００１７】
補助部材４には上下１対の揺動軸４ａが形成されており、押しボタン３２の裏側に形成された軸受部３２ａに揺動軸４ａが揺動自在に軸支される。押しボタン３２にはそのほか、上記爪３４に係合する係合部３２ｂと、カバー３に対して揺動自在に係合する係合部３２ｃとが設けられている。
【００１８】
また、補助部材４には、取り付けられた状態で外側に位置する支点部４１と、同じく内側に位置する作用点部４２とが形成されている。
【００１９】
図６を参照して、押しボタン３２を押すと、上記係合部３２ｃを中心にして押しボタン３２自体が揺動し、その結果、補助部材４の揺動軸４ａがリモコン本体２に近づく方向に移動する。ただし、補助部材４の支点部４１はカバー３の当接部３３に当接しているので移動しない。そのため、補助部材４はこの支点部４１を中心にして、リモコン本体２に近づく方向に揺動する。その結果、作用点部４２がスイッチ部２２を押し込むことになる。スイッチ部２２の直下にはスイッチ２２ａが配設されているので、上述のように、押しボタン３２を押すと、スイッチ２２ａが押されてオンすることになる。
【００２０】
なお、本発明は上記した形態に限定されるものではなく、本発明の要旨を逸脱しない範囲内において種々の変更を加えてもかまわない。
【符号の説明】
【００２１】
１ リモコン装置
２ リモコン本体
３ カバー
４ 補助部材
４ａ 揺動軸
２１ スイッチ部
２２ スイッチ部
２２ａ スイッチ
３１ 押しボタン
３２ 押しボタン
４１ 支点部
４２ 作用点部
【図１】
0006489915.tif 000002
【図２】
0006489915.tif 000003
【図３】
0006489915.tif 000004
【図４】
0006489915.tif 000005
【図５】
0006489915.tif 000006
【図６】
0006489915.tif 000007